(57)【要約】【課題】  読んでいない文書から読まなくてよいと判断した文書が識別できるようにする。【解決手段】  一般に利用者が文書を開いた時点で未読状態から既読状態に変更されるが、文書一覧表示手段により文書一覧が端末装置に表示された時点以降に登録・更新された文書について新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。【選択図】    図５
2006146635.tif 000002
【特許請求の範囲】
【請求項１】
複数の端末装置をネットワークを介して接続し、前記端末装置からの文書の投稿、閲覧を可能とする文書管理装置において、
投稿された複数の文書群を保存する文書管理手段と、
投稿された文書についての属性情報と利用者ごとの文書の閲覧状況を示す文書状態とを管理する文書情報管理手段と、
前記端末装置における利用者による文書の作成、編集、登録を可能にする文書操作手段と、
文書ごとに少なくとも文書の表題と文書状態とを列挙した文書一覧を前記端末装置に表示する文書一覧表示手段と、
この文書一覧表示手段で表示されている文書一覧から前記文書操作手段により利用者が選択した文書の文書内容を前記端末装置に表示する文書内容表示手段と、
を備え、
前記文書情報管理手段は、前記文書一覧表示手段により文書一覧が前記端末装置に表示された時点以降に登録・更新された文書について新着状態にあるとみなす、
ことを特徴とする文書管理装置。
【請求項２】
前記文書一覧表示手段は、新着状態にある文書を他の文書と視覚的に識別して表示する、
ことを特徴とする請求項１記載の文書管理装置。    
【請求項３】
前記文書一覧表示手段による文書一覧表示の前の段階で、新着状態にある文書を列挙して表示する、
ことを特徴とする請求項１記載の文書管理装置。    
【請求項４】
前記文書一覧表示手段による文書一覧表示の前の段階で、新着状態にある文書数を表示する、
ことを特徴とする請求項１記載の文書管理装置。    
【請求項５】
前記文書情報管理手段は、文書の属性情報のみが更新された場合には文書状態を新着状態とはみなさないようにする、
ことを特徴とする請求項１ないし４の何れか一記載の文書管理装置。    
【請求項６】
前記文書操作手段は、文書を更新する際に、更新する利用者が文書状態を新着状態に変更すべきか否かを指定できるようにし、
前記文書情報管理手段は、新着状態への変更を指示された場合にのみ文書状態を新着状態に変更する、
ことを特徴とする請求項１ないし５の何れか一記載の文書管理装置。
【請求項７】
前記文書情報管理手段は、一定の条件の下に、文書の文書状態を未読状態から既読状態に変更する、
ことを特徴とする請求項１ないし６の何れか一記載の文書管理装置。
【請求項８】
前記文書情報管理手段は、文書が未読状態のまま一定期間が経過した場合に、文書状態を未読状態から既読状態に変更する、
ことを特徴とする請求項７記載の文書管理装置。
【請求項９】
前記文書情報管理手段は、未読文書数が一定数を超えた場合に、文書状態を未読状態から既読状態に変更する、
ことを特徴とする請求項７記載の文書管理装置。
【請求項１０】
前記文書情報管理手段は、文書が未読状態になった後に、一覧表示が一定回数以上行われた場合に、文書状態を未読状態から既読状態に変更する、
ことを特徴とする請求項７記載の文書管理装置。
【請求項１１】
前記文書情報管理手段は、文書が未読状態になった後に、新着文書数が一定数を超えた場合に、文書状態を未読状態から既読状態に変更する、
ことを特徴とする請求項７記載の文書管理装置。
【請求項１２】
前記文書情報管理手段は、文書が未読状態になった後に、開いた新着文書数が一定数を超えた場合に、文書状態を未読状態から既読状態に変更する、
ことを特徴とする請求項７記載の文書管理装置。
【請求項１３】
複数の端末装置をネットワークを介して接続し、前記端末装置からの文書の投稿、閲覧を可能とする文書管理装置において、
投稿された複数の文書群を保存する文書管理手段と、
投稿された文書についての属性情報と利用者ごとの文書の閲覧状況を示す文書状態とを管理する文書情報管理手段と、
前記端末装置における利用者による文書の作成、編集、登録を可能にする文書操作手段と、
文書ごとに少なくとも文書の表題と文書状態とを列挙した文書一覧を前記端末装置に表示する文書一覧表示手段と、
この文書一覧表示手段で表示されている文書一覧から前記文書操作手段により利用者が選択した文書の文書内容を前記端末装置に表示する文書内容表示手段と、
を備え、
前記文書情報管理手段は、前記文書一覧表示手段により文書一覧が前記端末装置に表示された時点以降に登録・更新された文書について、属性情報のみが更新された文書を除いて文書状態が新着状態にあるとみなす、
ことを特徴とする文書管理装置。
【請求項１４】
複数の端末装置をネットワークを介して接続し、前記端末装置からの文書の投稿、閲覧を可能とする文書管理装置において、
投稿された複数の文書群を保存する文書管理手段と、
投稿された文書についての属性情報と利用者ごとの文書の閲覧状況を示す文書状態とを管理する文書情報管理手段と、
前記端末装置における利用者による文書の作成、編集、登録を可能にする文書操作手段と、
文書ごとに少なくとも文書の表題と文書状態とを列挙した文書一覧を前記端末装置に表示する文書一覧表示手段と、
この文書一覧表示手段で表示されている文書一覧から前記文書操作手段により利用者が選択した文書の文書内容を前記端末装置に表示する文書内容表示手段と、
を備え、
前記文書操作手段は、文書を更新する際に、更新する利用者が文書状態を新着状態に変更すべきか否かを指定できるようにし、
前記文書情報管理手段は、前記文書一覧表示手段により文書一覧が前記端末装置に表示された時点以降に登録・更新された文書について、新着状態への変更を指示された場合にのみ文書状態を新着状態に変更する、
ことを特徴とする文書管理装置。
【請求項１５】
複数の端末装置をネットワークを介して接続し、前記端末装置からの文書の投稿、閲覧を可能とする文書管理装置を制御するコンピュータに読取可能なプログラムであって、
投稿された複数の文書群を保存する文書管理機能と、
投稿された文書についての属性情報と利用者ごとの文書の閲覧状況を示す文書状態とを管理する文書情報管理機能と、
前記端末装置における利用者による文書の作成、編集、登録を可能にする文書操作機能と、
文書ごとに少なくとも文書の表題と文書状態とを列挙した文書一覧を前記端末装置に表示する文書一覧表示機能と、
この文書一覧表示機能で表示されている文書一覧から前記文書操作機能により利用者が選択した文書の文書内容を前記端末装置に表示する文書内容表示機能と、
を前記コンピュータに実行させ、
前記文書情報管理機能は、前記文書一覧表示機能により文書一覧が前記端末装置に表示された時点以降に登録・更新された文書について新着状態にあるとみなす、
ことを特徴とするプログラム。
【請求項１６】
前記文書一覧表示機能は、新着状態にある文書を他の文書と視覚的に識別して表示する、
ことを特徴とする請求項１５記載のプログラム。    
【請求項１７】
前記文書一覧表示機能による文書一覧表示の前の段階で、新着状態にある文書を列挙して表示する、
ことを特徴とする請求項１５記載のプログラム。    
【請求項１８】
前記文書一覧表示機能による文書一覧表示の前の段階で、新着状態にある文書数を表示する、
ことを特徴とする請求項１５記載のプログラム。    
【請求項１９】
前記文書情報管理機能は、文書の属性情報のみが更新された場合には文書状態を新着状態とはみなさないようにする、
ことを特徴とする請求項１５ないし１８の何れか一記載のプログラム。    
【請求項２０】
前記文書操作機能は、文書を更新する際に、更新する利用者が文書状態を新着状態に変更すべきか否かを指定できるようにし、
前記文書情報管理機能は、新着状態への変更を指示された場合にのみ文書状態を新着状態に変更する、
ことを特徴とする請求項１５ないし１９の何れか一記載のプログラム。
【請求項２１】
前記文書情報管理機能は、一定の条件の下に、文書の文書状態を未読状態から既読状態に変更する、
ことを特徴とする請求項１５ないし２０の何れか一記載のプログラム。
【請求項２２】
前記文書情報管理機能は、文書が未読状態のまま一定期間が経過した場合に、文書状態を未読状態から既読状態に変更する、
ことを特徴とする請求項２１記載のプログラム。
【請求項２３】
前記文書情報管理機能は、未読文書数が一定数を超えた場合に、文書状態を未読状態から既読状態に変更する、
ことを特徴とする請求項２１記載のプログラム。
【請求項２４】
前記文書情報管理機能は、文書が未読状態になった後に、一覧表示が一定回数以上行われた場合に、文書状態を未読状態から既読状態に変更する、
ことを特徴とする請求項２１記載のプログラム。
【請求項２５】
前記文書情報管理機能は、文書が未読状態になった後に、新着文書数が一定数を超えた場合に、文書状態を未読状態から既読状態に変更する、
ことを特徴とする請求項２１記載のプログラム。
【請求項２６】
前記文書情報管理機能は、文書が未読状態になった後に、開いた新着文書数が一定数を超えた場合に、文書状態を未読状態から既読状態に変更する、
ことを特徴とする請求項２１記載のプログラム。
【請求項２７】
複数の端末装置をネットワークを介して接続し、前記端末装置からの文書の投稿、閲覧を可能とする文書管理装置を制御するコンピュータに読取可能なプログラムであって、
投稿された複数の文書群を保存する文書管理機能と、
投稿された文書についての属性情報と利用者ごとの文書の閲覧状況を示す文書状態とを管理する文書情報管理機能と、
前記端末装置における利用者による文書の作成、編集、登録を可能にする文書操作機能と、
文書ごとに少なくとも文書の表題と文書状態とを列挙した文書一覧を前記端末装置に表示する文書一覧表示機能と、
この文書一覧表示機能で表示されている文書一覧から前記文書操作機能により利用者が選択した文書の文書内容を前記端末装置に表示する文書内容表示機能と、
を備え、
前記文書情報管理機能は、前記文書一覧表示機能により文書一覧が前記端末装置に表示された時点以降に登録・更新された文書について、属性情報のみが更新された文書を除いて文書状態が新着状態にあるとみなす、
ことを特徴とするプログラム。
【請求項２８】
複数の端末装置をネットワークを介して接続し、前記端末装置からの文書の投稿、閲覧を可能とする文書管理装置を制御するコンピュータに読取可能なプログラムであって、
投稿された複数の文書群を保存する文書管理機能と、
投稿された文書についての属性情報と利用者ごとの文書の閲覧状況を示す文書状態とを管理する文書情報管理機能と、
前記端末装置における利用者による文書の作成、編集、登録を可能にする文書操作機能と、
文書ごとに少なくとも文書の表題と文書状態とを列挙した文書一覧を前記端末装置に表示する文書一覧表示機能と、
この文書一覧表示機能で表示されている文書一覧から前記文書操作機能により利用者が選択した文書の文書内容を前記端末装置に表示する文書内容表示機能と、
を備え、
前記文書操作機能は、文書を更新する際に、更新する利用者が文書状態を新着状態に変更すべきか否かを指定できるようにし、
前記文書情報管理機能は、前記文書一覧表示機能により文書一覧が前記端末装置に表示された時点以降に登録・更新された文書について、新着状態への変更を指示された場合にのみ文書状態を新着状態に変更する、
ことを特徴とするプログラム。
【請求項２９】
請求項１５ないし２８の何れか一記載のプログラムを記憶することを特徴とする記憶媒体。
【発明の詳細な説明】
【技術分野】
【０００１】
本発明は、複数の端末装置をネットワークを介して接続し、端末装置からの文書の投稿、閲覧を可能とする文書管理装置、プログラムおよび記憶媒体に関する。
【背景技術】
【０００２】
近年、利用者間において情報の伝達やディスカッションを行うために電子掲示板が多く利用されている。電子掲示板は、ある利用者が記事（掲示板文書）の投稿を行うと、他の利用者（複数）はこれを閲覧することができ、読んだ利用者の中である１人がこれに返信を行うと、それもほかの利用者が閲覧できるようになっている。この繰り返しによって、複数の利用者間で相互に意見交換を行うことが可能となる。また、リアルタイムのやり取りには参加できなかった利用者も、過去の発言を読み進むことによって、議論の過程を知ることができる。つまり、利用者は、電子掲示板を利用することで任意の時刻に記事の投稿、閲覧が可能になり、非同期・遠隔地でのディスカッションが可能となる。
【０００３】
ところで、このような電子掲示板において利用者が文書を閲覧する場合には、まず、図１１に示すように文書の表題等の文書情報を列挙した文書一覧が表示され、さらに、図１２に示すようにその中から利用者が選択した文書について文書内容が表示される、という２段階で行なわれるのが一般的である。
【０００４】
また、図１１に示すように、このような電子掲示板では、文書一覧表示中に利用者がまだ開いていない文書には未読状態であることを示す識別記号が付されるようになっていることが多い（例えば、特許文献１参照）。このように未読状態であることを示す識別記号を付すことにより、利用者はこの識別記号によって一覧表示中に列挙された文書群の中から読んでいない文書だけを識別することができる。
【０００５】
このような文書の未読状態／既読状態の管理は、文書ごとに利用者の閲覧状況を記録し、新規に登録された文書に対し、利用者が文書を開いた時点までは未読状態、それ以降は既読状態とすることにしている。そして、既に登録済みの文書が更新された場合、更新文書が登録された時点で既読状態は未読状態に戻ることになる（例えば、特許文献２参照）。このように既に登録済みの文書が更新された場合に未読状態に戻るようにするのは、利用者は、更新した内容を読んでいないからである。
【０００６】
【特許文献１】特開２００２−５５９７５公報
【特許文献２】特開平１０−３４０２６１号公報
【発明の開示】
【発明が解決しようとする課題】
【０００７】
ところで、未読状態は、元々、単に利用者がその文書内容を読んでいないことを示すものである。しかし、現実には多くの利用者は未読状態を、読んでいないことを知るためというより読むべきものを知るために利用している。このため、例えば、読んでいない文書であっても、文書を一覧表示した段階で内容を閲覧する必要がないことが判明した文書について、図１３に示すように、手動で文書状態を未読状態から既読状態に変更するといった作業が行なわれる。読まなくてよい文書も読んだ文書とみなすことで、未読状態の文書は読むべき文書として扱えるようにするためである。
【０００８】
しかし、当然ながら、手動で文書状態を変更するのは利用者にとっては余計な作業である。また、登録済み文書の更新について、現状では、図１３に示すように、文書が更新されると文書状態は未読状態に戻ってしまう。これは、未読状態は読むべき文書として扱いたい利用者には望ましくない場合がある。すなわち、文書の更新によって文書の内容自体が変更されたなら文書を再度読む必要があるので、未読状態になるのは理にかなっているが、例えば文書のカテゴリなど文書内容に関係のない属性情報の修正の場合や、たとえ文書内容の変更であっても、全体に影響のないタイプミスの訂正などの微細な修正の場合、一度読んでいるならば改めて読む必要はないことが多いにもかかわらず未読状態になるので、利用者にとって無駄な閲覧をさせることになる。
【０００９】
本発明は、読んでいない文書から読まなくてよいと判断した文書が識別できるようにすることを目的とする。
【課題を解決するための手段】
【００１０】
請求項１記載の発明の文書管理装置は、複数の端末装置をネットワークを介して接続し、前記端末装置からの文書の投稿、閲覧を可能とする文書管理装置において、投稿された複数の文書群を保存する文書管理手段と、投稿された文書についての属性情報と利用者ごとの文書の閲覧状況を示す文書状態とを管理する文書情報管理手段と、前記端末装置における利用者による文書の作成、編集、登録を可能にする文書操作手段と、文書ごとに少なくとも文書の表題と文書状態とを列挙した文書一覧を前記端末装置に表示する文書一覧表示手段と、この文書一覧表示手段で表示されている文書一覧から前記文書操作手段により利用者が選択した文書の文書内容を前記端末装置に表示する文書内容表示手段と、を備え、前記文書情報管理手段は、前記文書一覧表示手段により文書一覧が前記端末装置に表示された時点以降に登録・更新された文書について新着状態にあるとみなす。
【００１１】
したがって、一般に利用者が文書を開いた時点で未読状態から既読状態に変更されるが、文書一覧表示手段により文書一覧が端末装置に表示された時点以降に登録・更新された文書について新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。
【００１２】
請求項２記載の発明は、請求項１記載の文書管理装置において、前記文書一覧表示手段は、新着状態にある文書を他の文書と視覚的に識別して表示する。  
【００１３】
したがって、利用者は読んでいない文書から読まなくてよいと判断した文書を直感的に識別することができるようになる。
【００１４】
請求項３記載の発明は、請求項１記載の文書管理装置において、前記文書一覧表示手段による文書一覧表示の前の段階で、新着状態にある文書を列挙して表示する。  
【００１５】
したがって、利用者は直感的に新着状態の文書があることを理解することができるようになる。
【００１６】
請求項４記載の発明は、請求項１記載の文書管理装置において、前記文書一覧表示手段による文書一覧表示の前の段階で、新着状態にある文書数を表示する。  
【００１７】
したがって、利用者は直感的に新着状態の文書があることを理解することができるようになる。
【００１８】
請求項５記載の発明は、請求項１ないし４の何れか一記載の文書管理装置において、前記文書情報管理手段は、文書の属性情報のみが更新された場合には文書状態を新着状態とはみなさないようにする。  
【００１９】
したがって、文書を更新したときに、文書の属性情報だけの修正であるなら、文書状態は既読状態のまま保たれる。その結果、読まなくてよいはずの文書が読んでいない文書に戻ってしまうことがなくなる。
【００２０】
請求項６記載の発明は、請求項１ないし５の何れか一記載の文書管理装置において、前記文書操作手段は、文書を更新する際に、更新する利用者が文書状態を新着状態に変更すべきか否かを指定できるようにし、前記文書情報管理手段は、新着状態への変更を指示された場合にのみ文書状態を新着状態に変更する。
【００２１】
したがって、文書更新を行う者の判断により、文書を既読状態のままにしておくよう指定して登録できる。その結果、読まなくてよいはずの文書が読んでいない文書に戻ってしまうことがなくなる。
【００２２】
請求項７記載の発明は、請求項１ないし６の何れか一記載の文書管理装置において、前記文書情報管理手段は、一定の条件の下に、文書の文書状態を未読状態から既読状態に変更する。
【００２３】
したがって、文書がいつまでも未読状態のまま放置されるのを防止することができる。
【００２４】
請求項８記載の発明は、請求項７記載の文書管理装置において、前記文書情報管理手段は、文書が未読状態のまま一定期間が経過した場合に、文書状態を未読状態から既読状態に変更する。
【００２５】
したがって、文書がいつまでも未読状態のまま放置されるのを防止することができる。
【００２６】
請求項９記載の発明は、請求項７記載の文書管理装置において、前記文書情報管理手段は、未読文書数が一定数を超えた場合に、文書状態を未読状態から既読状態に変更する。
【００２７】
したがって、文書がいつまでも未読状態のまま放置されるのを防止することができる。
【００２８】
請求項１０記載の発明は、請求項７記載の文書管理装置において、前記文書情報管理手段は、文書が未読状態になった後に、一覧表示が一定回数以上行われた場合に、文書状態を未読状態から既読状態に変更する。
【００２９】
したがって、文書がいつまでも未読状態のまま放置されるのを防止することができる。
【００３０】
請求項１１記載の発明は、請求項７記載の文書管理装置において、前記文書情報管理手段は、文書が未読状態になった後に、新着文書数が一定数を超えた場合に、文書状態を未読状態から既読状態に変更する。
【００３１】
したがって、文書がいつまでも未読状態のまま放置されるのを防止することができる。
【００３２】
請求項１２記載の発明は、請求項７記載の文書管理装置において、前記文書情報管理手段は、文書が未読状態になった後に、開いた新着文書数が一定数を超えた場合に、文書状態を未読状態から既読状態に変更する。
【００３３】
したがって、文書がいつまでも未読状態のまま放置されるのを防止することができる。
【００３４】
請求項１３記載の発明の文書管理装置は、複数の端末装置をネットワークを介して接続し、前記端末装置からの文書の投稿、閲覧を可能とする文書管理装置において、投稿された複数の文書群を保存する文書管理手段と、投稿された文書についての属性情報と利用者ごとの文書の閲覧状況を示す文書状態とを管理する文書情報管理手段と、前記端末装置における利用者による文書の作成、編集、登録を可能にする文書操作手段と、文書ごとに少なくとも文書の表題と文書状態とを列挙した文書一覧を前記端末装置に表示する文書一覧表示手段と、この文書一覧表示手段で表示されている文書一覧から前記文書操作手段により利用者が選択した文書の文書内容を前記端末装置に表示する文書内容表示手段と、を備え、前記文書情報管理手段は、前記文書一覧表示手段により文書一覧が前記端末装置に表示された時点以降に登録・更新された文書について、属性情報のみが更新された文書を除いて文書状態が新着状態にあるとみなす。
【００３５】
したがって、一般に利用者が文書を開いた時点で未読状態から既読状態に変更されるが、文書一覧表示手段により文書一覧が端末装置に表示された時点以降に登録・更新された文書について、属性情報のみが更新された文書を除いて文書状態が新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。また、文書を更新したときに、文書の属性情報だけの修正であるなら、文書状態は既読状態のまま保たれる。その結果、読まなくてよいはずの文書が読んでいない文書に戻ってしまうことがなくなる。
【００３６】
請求項１４記載の発明の文書管理装置は、複数の端末装置をネットワークを介して接続し、前記端末装置からの文書の投稿、閲覧を可能とする文書管理装置において、投稿された複数の文書群を保存する文書管理手段と、投稿された文書についての属性情報と利用者ごとの文書の閲覧状況を示す文書状態とを管理する文書情報管理手段と、前記端末装置における利用者による文書の作成、編集、登録を可能にする文書操作手段と、文書ごとに少なくとも文書の表題と文書状態とを列挙した文書一覧を前記端末装置に表示する文書一覧表示手段と、この文書一覧表示手段で表示されている文書一覧から前記文書操作手段により利用者が選択した文書の文書内容を前記端末装置に表示する文書内容表示手段と、を備え、前記文書操作手段は、文書を更新する際に、更新する利用者が文書状態を新着状態に変更すべきか否かを指定できるようにし、前記文書情報管理手段は、前記文書一覧表示手段により文書一覧が前記端末装置に表示された時点以降に登録・更新された文書について、新着状態への変更を指示された場合にのみ文書状態を新着状態に変更する。
【００３７】
したがって、一般に利用者が文書を開いた時点で未読状態から既読状態に変更されるが、文書一覧表示手段により文書一覧が端末装置に表示された時点以降に登録・更新された文書について、更新する利用者が文書状態を新着状態に変更すべきか否かを指定できるようにし、利用者が文書状態を新着状態に指定した文書についてのみ新着状態にあるとみなすことで、利用者が文書状態を新着状態に指定するとともに文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。また、文書更新を行う者の判断により、文書を既読状態のままにしておくよう指定して登録できる。その結果、読まなくてよいはずの文書が読んでいない文書に戻ってしまうことがなくなる。
【００３８】
請求項１５記載の発明のプログラムは、複数の端末装置をネットワークを介して接続し、前記端末装置からの文書の投稿、閲覧を可能とする文書管理装置を制御するコンピュータに読取可能なプログラムであって、投稿された複数の文書群を保存する文書管理機能と、投稿された文書についての属性情報と利用者ごとの文書の閲覧状況を示す文書状態とを管理する文書情報管理機能と、前記端末装置における利用者による文書の作成、編集、登録を可能にする文書操作機能と、文書ごとに少なくとも文書の表題と文書状態とを列挙した文書一覧を前記端末装置に表示する文書一覧表示機能と、この文書一覧表示機能で表示されている文書一覧から前記文書操作機能により利用者が選択した文書の文書内容を前記端末装置に表示する文書内容表示機能と、を前記コンピュータに実行させ、前記文書情報管理機能は、前記文書一覧表示機能により文書一覧が前記端末装置に表示された時点以降に登録・更新された文書について新着状態にあるとみなす。
【００３９】
したがって、一般に利用者が文書を開いた時点で未読状態から既読状態に変更されるが、文書一覧表示機能により文書一覧が端末装置に表示された時点以降に登録・更新された文書について新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。
【００４０】
請求項１６記載の発明は、請求項１５記載のプログラムにおいて、前記文書一覧表示機能は、新着状態にある文書を他の文書と視覚的に識別して表示する。  
【００４１】
したがって、利用者は読んでいない文書から読まなくてよいと判断した文書を直感的に識別することができるようになる。
【００４２】
請求項１７記載の発明は、請求項１５記載のプログラムにおいて、前記文書一覧表示機能による文書一覧表示の前の段階で、新着状態にある文書を列挙して表示する。  
【００４３】
したがって、利用者は直感的に新着状態の文書があることを理解することができるようになる。
【００４４】
請求項１８記載の発明は、請求項１５記載のプログラムにおいて、前記文書一覧表示機能による文書一覧表示の前の段階で、新着状態にある文書数を表示する。  
【００４５】
したがって、利用者は直感的に新着状態の文書があることを理解することができるようになる。
【００４６】
請求項１９記載の発明は、請求項１５ないし１８の何れか一記載のプログラムにおいて、前記文書情報管理機能は、文書の属性情報のみが更新された場合には文書状態を新着状態とはみなさないようにする。  
【００４７】
したがって、文書を更新したときに、文書の属性情報だけの修正であるなら、文書状態は既読状態のまま保たれる。その結果、読まなくてよいはずの文書が読んでいない文書に戻ってしまうことがなくなる。
【００４８】
請求項２０記載の発明は、請求項１５ないし１９の何れか一記載のプログラムにおいて、前記文書操作機能は、文書を更新する際に、更新する利用者が文書状態を新着状態に変更すべきか否かを指定できるようにし、前記文書情報管理機能は、新着状態への変更を指示された場合にのみ文書状態を新着状態に変更する。
【００４９】
したがって、文書更新を行う者の判断により、文書を既読状態のままにしておくよう指定して登録できる。その結果、読まなくてよいはずの文書が読んでいない文書に戻ってしまうことがなくなる。
【００５０】
請求項２１記載の発明は、請求項１５ないし２０の何れか一記載のプログラムにおいて、前記文書情報管理機能は、一定の条件の下に、文書の文書状態を未読状態から既読状態に変更する。
【００５１】
したがって、文書がいつまでも未読状態のまま放置されるのを防止することができる。
【００５２】
請求項２２記載の発明は、請求項２１記載のプログラムにおいて、前記文書情報管理機能は、文書が未読状態のまま一定期間が経過した場合に、文書状態を未読状態から既読状態に変更する。
【００５３】
したがって、文書がいつまでも未読状態のまま放置されるのを防止することができる。
【００５４】
請求項２３記載の発明は、請求項２１記載のプログラムにおいて、前記文書情報管理機能は、未読文書数が一定数を超えた場合に、文書状態を未読状態から既読状態に変更する。
【００５５】
したがって、文書がいつまでも未読状態のまま放置されるのを防止することができる。
【００５６】
請求項２４記載の発明は、請求項２１記載のプログラムにおいて、前記文書情報管理機能は、文書が未読状態になった後に、一覧表示が一定回数以上行われた場合に、文書状態を未読状態から既読状態に変更する。
【００５７】
したがって、文書がいつまでも未読状態のまま放置されるのを防止することができる。
【００５８】
請求項２５記載の発明は、請求項２１記載のプログラムにおいて、前記文書情報管理機能は、文書が未読状態になった後に、新着文書数が一定数を超えた場合に、文書状態を未読状態から既読状態に変更する。
【００５９】
したがって、文書がいつまでも未読状態のまま放置されるのを防止することができる。
【００６０】
請求項２６記載の発明は、請求項２１記載のプログラムにおいて、前記文書情報管理機能は、文書が未読状態になった後に、開いた新着文書数が一定数を超えた場合に、文書状態を未読状態から既読状態に変更する。
【００６１】
したがって、文書がいつまでも未読状態のまま放置されるのを防止することができる。
【００６２】
請求項２７記載の発明のプログラムは、複数の端末装置をネットワークを介して接続し、前記端末装置からの文書の投稿、閲覧を可能とする文書管理装置を制御するコンピュータに読取可能なプログラムであって、投稿された複数の文書群を保存する文書管理機能と、投稿された文書についての属性情報と利用者ごとの文書の閲覧状況を示す文書状態とを管理する文書情報管理機能と、前記端末装置における利用者による文書の作成、編集、登録を可能にする文書操作機能と、文書ごとに少なくとも文書の表題と文書状態とを列挙した文書一覧を前記端末装置に表示する文書一覧表示機能と、この文書一覧表示機能で表示されている文書一覧から前記文書操作機能により利用者が選択した文書の文書内容を前記端末装置に表示する文書内容表示機能と、を備え、前記文書情報管理機能は、前記文書一覧表示機能により文書一覧が前記端末装置に表示された時点以降に登録・更新された文書について、属性情報のみが更新された文書を除いて文書状態が新着状態にあるとみなす。
【００６３】
したがって、一般に利用者が文書を開いた時点で未読状態から既読状態に変更されるが、文書一覧表示機能により文書一覧が端末装置に表示された時点以降に登録・更新された文書について、属性情報のみが更新された文書を除いて文書状態が新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。また、文書を更新したときに、文書の属性情報だけの修正であるなら、文書状態は既読状態のまま保たれる。その結果、読まなくてよいはずの文書が読んでいない文書に戻ってしまうことがなくなる。
【００６４】
請求項２８記載の発明のプログラムは、複数の端末装置をネットワークを介して接続し、前記端末装置からの文書の投稿、閲覧を可能とする文書管理装置を制御するコンピュータに読取可能なプログラムであって、投稿された複数の文書群を保存する文書管理機能と、投稿された文書についての属性情報と利用者ごとの文書の閲覧状況を示す文書状態とを管理する文書情報管理機能と、前記端末装置における利用者による文書の作成、編集、登録を可能にする文書操作機能と、文書ごとに少なくとも文書の表題と文書状態とを列挙した文書一覧を前記端末装置に表示する文書一覧表示機能と、この文書一覧表示機能で表示されている文書一覧から前記文書操作機能により利用者が選択した文書の文書内容を前記端末装置に表示する文書内容表示機能と、を備え、前記文書操作機能は、文書を更新する際に、更新する利用者が文書状態を新着状態に変更すべきか否かを指定できるようにし、前記文書情報管理機能は、前記文書一覧表示機能により文書一覧が前記端末装置に表示された時点以降に登録・更新された文書について、新着状態への変更を指示された場合にのみ文書状態を新着状態に変更する。
【００６５】
したがって、一般に利用者が文書を開いた時点で未読状態から既読状態に変更されるが、文書一覧表示機能により文書一覧が端末装置に表示された時点以降に登録・更新された文書について、更新する利用者が文書状態を新着状態に変更すべきか否かを指定できるようにし、利用者が文書状態を新着状態に指定した文書についてのみ新着状態にあるとみなすことで、利用者が文書状態を新着状態に指定するとともに文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。また、文書更新を行う者の判断により、文書を既読状態のままにしておくよう指定して登録できる。その結果、読まなくてよいはずの文書が読んでいない文書に戻ってしまうことがなくなる。
【００６６】
請求項２９記載の発明の記憶媒体は、請求項１５ないし２８の何れか一記載のプログラムを記憶する。
【００６７】
したがって、請求項１５ないし２８の何れか一記載のプログラムを有体物の形態で取り扱うことが可能となる。
【発明の効果】
【００６８】
本発明によれば、利用者が文書を開いた時点で未読状態から既読状態に変更するのに加えて、利用者が文書の一覧表示を開いた時点にも新着状態から未読状態に変更するため、読んでいない文書から読まなくてよいと判断した文書が識別できるようになる。
【００６９】
本発明によれば、文書を更新したときに、文書の属性情報だけの修正であるなら、既読状態のまま保つことにより、読まなくてよいはずの文書が読んでいない文書に戻ってしまうことがなくなる。
【００７０】
本発明によれば、文書更新を行う者の判断により、文書を既読状態のままにしておくよう指定して登録できることにより、読まなくてよいはずの文書が読んでいない文書に戻ってしまうことがなくなる。
【発明を実施するための最良の形態】
【００７１】
[第一の実施の形態]
本発明の第一の実施の形態を図１ないし図７に基づいて説明する。
【００７２】
図１は、本実施の形態の電子掲示板システムのシステム構築例を示す模式図である。本実施の形態の電子掲示板システムでは、図１に示すように、文書管理装置であるサーバコンピュータ（以下、サーバという）２にＬＡＮ（Local Area Network）等のネットワーク３を介して端末装置であるクライアントコンピュータ（以下、クライアントという）４が複数台接続されたサーバクライアントシステム１を想定する。このようなサーバクライアントシステム１は、例えばイントラネット５を介して別のサーバクライアントシステム１とのデータ通信可能に構築され、インターネット通信網６を介して外部環境とデータ通信可能に構築されている。
【００７３】
サーバ２は、電子掲示板プログラム７に基づき、利用者間において情報の伝達やディスカッションを行うための電子掲示板を運営する電子掲示板装置である。このサーバ２に対しては、ネットワーク３上のクライアント４からアクセスすることができる。よって、ネットワーク３上のクライアント４から、この電子掲示板にアクセスして、メッセージを書き込み、あるいは読み出したりして、複数の利用者間で相互に意見交換を行うことができる。この電子掲示板の運営については周知の技術内容であるため、詳細な説明は省略する。例えば、この電子掲示板は、特定の仕事などを共同で遂行するチームの仕事の場として、そのチームのメンバーがアクセスして投稿を行うものとする。このようにサーバ２は電子掲示板を運営しているので、その電子掲示板に書き込まれた文書データである掲示板データ等の保存・管理を行うデータベース８もサーバ２に備えられている。掲示板データには、投稿された掲示板文書ごとに、少なくとも投稿者のハンドルネーム、投稿日時、レスポンス元の文書の情報などのデータが含まれる。
【００７４】
クライアント４は、一般的なパーソナルコンピュータ等であり、サーバ２で運営される電子掲示板へ利用者が記事を投稿、閲覧する端末装置として機能する。
【００７５】
図２は、サーバ２のモジュール構成図である。サーバ２は、情報処理を行うＣＰＵ（Central Processing Unit）１１、ＢＩＯＳなどを記憶した読出し専用メモリであるＲＯＭ（Read Only Memory）１２、各種データを書換え可能に記憶するＲＡＭ（Random Access Memory）１３、掲示板データ等を記憶するデータベース８として機能するとともに各種のプログラムを格納するＨＤＤ（Hard Disk Drive）１４、記憶媒体２０を用いて情報を保管したり外部に情報を配布したり外部から情報を入手するためのＣＤ−ＲＯＭドライブ等の媒体駆動装置１５、ネットワーク３を介して外部の他のコンピュータと通信により情報を伝達するための通信制御装置１６、処理経過や結果等を操作者に表示するＣＲＴ（Cathode Ray Tube）やＬＣＤ（Liquid Crystal Display）等の表示装置１７、並びに操作者がＣＰＵ１１に命令や情報等を入力するためのキーボードやマウス等の入力装置１８等から構成されており、これらの各部間で送受信されるデータをバスコントローラ１９が調停して動作する。
【００７６】
このようなサーバ２では、ユーザが電源を投入するとＣＰＵ１１がＲＯＭ１２内のローダーというプログラムを起動させ、ＨＤＤ１４よりＯＳ（Operating System）というコンピュータのハードウェアとソフトウェアとを管理するプログラムをＲＡＭ１３に読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）、ＵＮＩＸ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００７７】
ここで、サーバ２は、アプリケーションプログラムとして、電子掲示板プログラム７をＨＤＤ１４に記憶している。この意味で、ＨＤＤ１４は、電子掲示板プログラム７を記憶する記憶媒体として機能する。
【００７８】
また、一般的には、サーバ２のＨＤＤ１４にインストールされる動作プログラムは、ＣＤ−ＲＯＭやＤＶＤなどの各種の光ディスク、各種光磁気ディスク、フレキシブル・ディスクなどの各種磁気ディスク、半導体メモリ等の各種方式のメディア等の記憶媒体２０に記録され、この記憶媒体２０に記録された動作プログラムがＨＤＤ１４にインストールされる。このため、ＣＤ−ＲＯＭ等の光情報記録メディアやＦＤ等の磁気メディア等の可搬性を有する記憶媒体２０も、電子掲示板プログラム７を記憶する記憶媒体となり得る。さらには、電子掲示板プログラム７は、例えば通信制御装置１６を介して外部から取り込まれ、ＨＤＤ１４にインストールされても良い。
【００７９】
サーバ２は、ＯＳ上で動作する電子掲示板プログラム７が起動すると、この電子掲示板プログラム７に従い、ＣＰＵ１１が各種の演算処理を実行して各部を集中的に制御する。サーバ２のＣＰＵ１１が実行する各種の演算処理のうち、本実施の形態の特長的な処理について以下に説明する。
【００８０】
図３は、サーバ２の機能構成を示す機能ブロック図である。図３に示すように、サーバ２は、電子掲示板プログラム７に従うことにより、利用者によるクライアント４における文書の作成、編集、登録を可能にする文書操作手段３１と、クライアント４において利用者に対して文書を表示する文書表示手段３２と、文書情報管理手段３３と、文書管理手段３４と、を備える。以下、この各機能について説明する。
【００８１】
文書管理手段３４は、例えばＨＤＤ１４のデータベース８に利用者が投稿した掲示板文書群を保存するものである。
【００８２】
文書情報管理手段３３は、掲示板文書の作成者やカテゴリなどの属性情報と利用者ごとの文書の閲覧状況を示す文書状態とを、例えばＨＤＤ１４のデータベース８に形成される管理テーブルＴ（図４参照）において管理するものである。ここで、図４は管理テーブルＴの一例を示す模式図である。図４に示すように、管理テーブルＴには、文書毎に「文書ＩＤ」「登録日時」「ユーザＩＤ」「文書一覧表示日時」「文書内容表示日時」「文書状態」が格納されている。「登録日時」には、文書が新規に登録された日時、または文書が更新された日時が記録される。「文書一覧表示日時」には、利用者が文書一覧を表示した日時が記録される。「文書内容表示日時」には、文書内容を表示した日時が記録される。また、「文書状態」は、図５に示すように、文書が登録されてから文書一覧表示されるまでの間は新着状態であり、文書一覧表示されてから文書内容表示されるまでが未読状態であり、文書内容が表示されると既読状態となる。ただし、文書状態は必要になったとき動的に計算してもよい。また、新着状態にある文書は管理テーブルＴに追加しないことにしてもよい。
【００８３】
このような構成により、利用者が文書を閲覧する場合、文書表示手段３２は、文書ごとに文書の表題等とともに文書状態を列挙した文書一覧をクライアント４において表示した後（文書一覧表示手段）、文書操作手段３１により利用者が選択した文書の文書内容をクライアント４に表示する（文書内容表示手段）。ここで、図６はクライアント４における文書一覧表示画面Ｐ１の一例を示す正面図である。図６に示すように、文書が新規に登録されてから、または文書が更新されてから文書一覧表示されるまでの間に利用者がまだ開いていない文書が文書一覧表示画面Ｐ１中にある場合には、当該文書には新着状態であることを示す識別記号が付される。また、図６に示すように、文書一覧表示されてから利用者がまだ開いていない文書が文書一覧表示画面Ｐ１中にある場合には、当該文書には未読状態であることを示す識別記号が付される。このように新着状態にある文書を他の文書と視覚的に識別して表示することにより、利用者は読んでいない文書から読まなくてよいと判断した文書を直感的に識別することができるようになる。
【００８４】
また、文書表示手段３２は、図７に示すように文書一覧表示画面Ｐ１の前の段階の画面Ｐ２で、カテゴリ（スレッド）ごとの新着記事数をクライアント４に表示するようにしても良い。カテゴリ（スレッド）とは、同じ主題についての一連の文書を示すものである。また、文書表示手段３２は、文書一覧表示画面Ｐ１の前の段階の画面（図示せず）で、新着状態にある文書を列挙してクライアント４に表示するようにしても良い。これにより、利用者は直感的に新着状態の文書があることを理解することができるようになる。
【００８５】
さらに、原則として未読状態の文書は、利用者が開かない限り既読状態にならないが、利用者によっては、文書がいつまでも未読状態のまま放置されるのを好まない場合がある。その場合は、以下のような場合に未読状態が既読状態に自動で変更されるようにも設定できる。
（１）未読状態のまま一定期間が経過した場合
（２）未読文書数が一定数を超えた場合
（３）文書が未読状態になった後に、一覧表示が一定回数以上行われた場合
（４）文書が未読状態になった後に、新着文書数が一定数を超えた場合
（５）文書が未読状態になった後に、開いた新着文書数が一定数を超えた場合
これらの判定は、個々の文書単位で行ってもスレッド単位で行ってもよい。スレッド単位の場合は、そのスレッドの中で、上記の条件を満たした場合に、そのスレッドの中の未読状態の文書が既読状態に変更される。
【００８６】
このように本実施の形態によれば、一般に利用者が文書を開いた時点で未読状態から既読状態に変更されるが、文書一覧表示手段により文書一覧が端末装置に表示された時点以降に登録・更新された文書について新着状態にあるとみなすことで、文書一覧に一度も表示されなかった文書だけが新着状態となり、文書一覧に表示はされたものの内容を読まれなかった文書は、次に文書一覧を表示したとき未読状態となるので、利用者は前回読まなくてよいと判断した文書がどれか判別できるようになるため、手動で既読状態にしておく必要はなくなる。これにより、読んでいない文書から読まなくてよいと判断した文書が識別できるようになる。
【００８７】
[第二の実施の形態]
本発明の第二の実施の形態を図８に基づいて説明する。なお、前述した第一の実施の形態と同一部分は同一符号で示し説明も省略する。第一の実施の形態においては、文書が更新されてから文書一覧表示されるまでの間に利用者がまだ開いていない文書が文書一覧表示中にある場合には、当該文書には新着状態であることを示す識別記号を付すようにした。本実施の形態は、文書の属性情報（例えば、件名や重要度など）のみが変更された場合には文書状態を変更しないようにしたものである。
【００８８】
本実施の形態における文書情報管理手段３３は、文書が更新された場合に、文書の属性情報（例えば、件名や重要度など）のみが更新された場合には文書状態を新着状態に変更しないようにする。すなわち、図８に示すように、文書の属性情報の更新時にすでに既読状態になっている文書は、文書の属性情報の更新後も既読状態のままである。
【００８９】
このように文書の属性情報（例えば、件名や重要度など）のみが変更された場合には文書状態を変更しないようにした（すなわち、文書の属性情報の更新後も既読状態のままにした）ことにより、読まなくてよいはずの文書が読んでいない文書に戻ってしまうことを防止することができる。
【００９０】
このように本実施の形態によれば、文書を更新したときに、文書の属性情報だけの修正であるなら、既読状態のまま保たれる。その結果、読まなくてよいはずの文書が読んでいない文書に戻ってしまうことがなくなる。
【００９１】
[第三の実施の形態]
本発明の第三の実施の形態を図９または図１０に基づいて説明する。なお、前述した第一の実施の形態と同一部分は同一符号で示し説明も省略する。第一の実施の形態においては、文書が更新されてから文書一覧表示されるまでの間に利用者がまだ開いていない文書が文書一覧表示中にある場合には、当該文書には新着状態であることを示す識別記号を付すようにした。本実施の形態は、文書が更新される場合でも文書状態は変更されないように、文書を更新する利用者が必要に応じて指定できるようにしたものである。
【００９２】
本実施の形態における文書操作手段３１は、利用者が文書を更新する際に、更新する利用者が文書状態を新着状態に変更すべきか否かを指定できるようにする。より具体的には、文書操作手段３１は、図９に示すように、文書を更新する際の画面Ｐ３に、文書状態を既読状態として登録する「既読登録ボタン」Ｂ１と、文書状態を新着状態として登録する「新着登録ボタン」Ｂ２とをクライアント４に表示させ、文書の作成、編集、登録を可能にする。すなわち、文書を更新する際に、更新する利用者が文書状態を新着状態に変更すべきか否かを指定できるようにしたものである。そして、文書情報管理手段３３は、新着状態への変更を指示された場合にのみ文書状態を新着状態に変更する。
【００９３】
このように文書が更新される場合でも文書状態は新着状態に変更されないように、文書を更新する利用者が必要に応じて指定できるようにしたことにより、図１０に示すように、更新後の文書状態として、新着状態と既読状態との何れかを選択することができるようになる。
【００９４】
このように本実施の形態によれば、文書更新を行う者の判断により、文書を既読状態のままにしておくよう指定して登録できる。その結果、読まなくてよいはずの文書が読んでいない文書に戻ってしまうことがなくなる。
【００９５】
なお、各実施の形態においては、文書管理装置として利用者間において情報の伝達やディスカッションを行うための電子掲示板を運営する電子掲示板装置を適用したが、これに限るものではなく、データベースシステム、ニュース・リーダ、電子メールシステム等の多数の文書を管理するシステム（装置）に適用可能である。
【図面の簡単な説明】
【００９６】
【図１】本発明の第一の実施の形態の電子掲示板システムのシステム構築例を示す模式図である。
【図２】サーバのモジュール構成図である。
【図３】サーバの機能構成を示す機能ブロック図である。
【図４】管理テーブルの一例を示す模式図である。
【図５】文書状態管理の様子を示す説明図である。
【図６】クライアントにおける文書一覧表示画面の一例を示す正面図である。
【図７】クライアントにおける表示画面の一例を示す正面図である。
【図８】本発明の第二の実施の形態の文書状態管理の様子を示す説明図である。
【図９】本発明の第三の実施の形態のクライアントにおける文書更新画面の一例を示す正面図である。
【図１０】文書状態管理の様子を示す説明図である。
【図１１】従来の文書一覧表示の一例を示す正面図である。
【図１２】文書内容表示の一例を示す正面図である。
【図１３】従来の文書状態管理の様子を示す説明図である。
【符号の説明】
【００９７】
２      文書管理装置
３      ネットワーク
４      端末装置
２０    記憶媒体
３１    文書操作手段
３２    文書一覧表示手段、文書内容表示手段
３３    文書情報管理手段
３４    文書管理手段
【図１】
2006146635.tif 000003
【図２】
2006146635.tif 000004
【図３】
2006146635.tif 000005
【図４】
2006146635.tif 000006
【図５】
2006146635.tif 000007
【図６】
2006146635.tif 000008
【図７】
2006146635.tif 000009
【図８】
2006146635.tif 000010
【図９】
2006146635.tif 000011
【図１０】
2006146635.tif 000012
【図１１】
2006146635.tif 000013
【図１２】
2006146635.tif 000014
【図１３】
2006146635.tif 000015